(57)【特許請求の範囲】
【請求項１】
紙板材を折り曲げ組み立てた直方体形状の容器本体内に、液体、粉体等の内容物を収納するとともに、容器本体の一側面上下方向に縦長で、しかも透明なシートによって全域が裏打ちされた窓を透して内容物の残量を視認できるようにした残量確認用窓付紙パックにおいて、
前記紙板材に前記窓の外形状に適合する断続構造の切れ目を設け、
この切れ目で囲まれた紙板材部を、切除可能な窓形成用の除去カバー部とし、
この除去カバー部に一部を除いてニスを施し、
ニス抜きされた除去カバー部分に、剥離用シートを固着したこと
を特徴とする残量確認用窓付紙パック。
【請求項２】
前記剥離用シートに、紙板部材に固着しない摘み部を設けたこと
を特徴とする請求項１に記載の残量確認用窓付紙パック。
【発明の詳細な説明】
【０００１】
【発明の属する技術分野】
この発明は、紙板材を折り曲げて直方体形状に組み立て、内部に液体，粉体などの内容物を収納する残量確認用窓付紙パックに係る技術分野に属する。
【０００２】
【従来の技術】
従来、紙パックの中に、内部に、たとえば液状の農薬を収納したものがあるが、農薬を一度に全部使い切らないときは、そのまま保管して後の使用に備える場合がある。
【０００３】
したがって、そのように内容物を紙パックで保管する場合には、後に再び使用するときに、内容物の残量を確認できると便利である。そのため、従来の紙パックの中には、高さ方向に細長い窓孔を設け、その窓孔を透明フィルムで裏打ちして透明な窓を形成し、その窓から内容物の残量を視認できるようにしたものがある（たとえば実願平３−９３２９８号参照）。
【０００４】
【発明が解決しようとする課題】
上述のような従来の残量確認用窓付紙パックでは、たとえば輸送中に、透明フィルムに不用意に尖ったものが当たると、その透明フィルムが破れて窓から内容物がこぼれ出てしまうという課題があった。
【０００５】
そこで、この発明の目的は、上述のように透明な窓から内容物の残量を視認できるようにした残量確認用窓付紙パックにおいて、たとえば輸送中に窓が破れて内容物がこぼれ出るのを防止することにある。
【０００６】
【課題を解決するための手段】
上記目的は、紙板材を折り曲げ組み立てた直方体形状の容器本体内に、液体，粉体等の内容物を収納するとともに、容器本体の一側面上下方向に縦長で、しかも透明なシートによって全域が裏打ちされた窓を透して内容物の残量を視認できるようにした残量確認用窓付紙パックにおいて、
前記紙板材に前記窓の外形状に適合する断続構造の切れ目を設け、
この切れ目で囲まれた紙板材部を、切除可能な窓形成用の除去カバー部とし、
この除去カバー部に一部を除いてニスを施し、
ニス抜きされた除去カバー部分に、剥離用シートを固着したこと
により達成される。
【０００７】
また、上記目的は、前記剥離用シートに、紙板材に固着しない摘み部を設けることにより効果的に達成される。
【０００８】
【発明の実施の形態】
以下、図面を参照しつつ、この発明の実施の形態について説明する。
【０００９】
図１は、この発明による残量確認用窓付紙パックを示す。図中、符号１は、この紙パックの容器本体である。この容器本体１は、シート状の紙板材を折り曲げて直方体状に組み立て、内部に内容物として液状の農薬を収納するものである。なお、容器本体１内に収納する内容物は、この農薬等の液体に限らず、粉体などであってもよいのは勿論である。
【００１０】
さて、容器本体１を構成する紙板材は、図示省略するが、たとえば〔表側〕ＰＥ／紙／ＰＥ／シリカ蒸着ＰＥＴ／ＰＥ〔裏側〕からなる層構成で、剛性をもたせた構造になっている。また、たとえば〔表側〕ＰＥ／紙／ＰＥ／ＡＬ／ＰＥＴ／ＰＥ〔裏側〕の層構成とすることもできる。
【００１１】
そして、容器本体１の一側面１ａには、上下方向に縦長な帯状の除去カバー部２を設ける。除去カバー部２は、その外周縁に沿って紙板材に断続構造の切れ目３を入れて、この切れ目３で囲まれた紙板材部を切除可能に形成している。その場合、例えば適宜抜刃を用いて紙板材を切断し、図２に示すように、切れ目３を紙板材の厚さ方向に貫通するように形成する。
【００１２】
切れ目３は、図３（ａ）に示すように、その１つ１つをやや長い線状に形成するとよい。
【００１３】
なお、切れ目３は、図３（ｂ）に示すように、上下両端側を除いて、その１つ１つを短い破線状に形成してもよい。また、たとえば図３（ｃ）に示すように、１つ１つの切れ目３を、上端を内向きに曲げた略¬形状に形成したものであってもよい。
【００１４】
一方、この紙パックは、図２に示すように、除去カバー部２の真裏側を除く紙板材の裏面に、透明シート４をヒートシール４ａする。
透明シート４は、たとえば〔外側〕ＰＥ／Ｎｙ／シリカ蒸着ＰＥＴ〔内側〕からなる層構成で、バリア性を高めた構造にしている。そして、この透明シート４を除去カバー部２に重ねて設け、切れ目３を裏側からシールしている。
また、透明シート４は、たとえば〔外側〕ＰＥ／ＯＰＰ／シリカ蒸着ＰＥＴ〔内側〕の層構成とした部材で形成することもできる。
【００１５】
なお、上述した本発明による紙パックには、図１に示すように、除去カバー部２の側縁に農薬の残量を示す目盛５を設けている。
【００１６】
さらに、この紙パックは、除去カバー部２の切除がより簡単に行えるように、図４でも示すように、除去カバー部２の表面側に剥離用シート７を備えた構成にする。
【００１７】
剥離用シート７は、たとえば〔外側〕Ｎｙ／ＰＥ〔内側〕の層構成にした透明な縦長シートを用い、図５（ａ）・（ｂ）・（ｃ）にそれぞれ示すように、除去カバー部２の表面全域にヒートシール７ｂして固着する。
その場合、剥離用シート７をより強く固着すべく、前記抜刃を用いて切れ目３を入れる前に、除去カバー部２の帯状表面部の一部を、予めニス抜きし、該ニス抜き部を利用して剥離用シート７を固着する。
【００１８】
剥離用シート７としては、たとえば〔外側〕ＯＰＰ／ＰＥ〔内側〕、〔外側〕Ｎｙ／ＡＬ／ＰＥ〔内側〕、〔外側〕ＯＰＰ／ＡＬ／ＰＥ〔内側〕、〔外側〕ＰＥＴ／ＡＬ／ＰＥ〔内側〕の層構成とした、それぞれ他のシート材を用いることもできる。
【００１９】
なお、そのような剥離用シート７には、上部側に摘み部７ａを設けることが好ましい。その摘み部７ａは、指で摘みやすいように、前記紙板材に対しヒートシールなどにより固着することがないようにする。
【００２０】
さて、上述した構成の残量確認用窓付紙パックでは、その中に農薬を収納して保管したり、輸送したりする。そのような場合、透明シート４の表側は、除去カバー部２を重ねて防護しているため、不用意に尖ったものが当たっても、透明シート４が破れて農薬がこぼれ出るのを防止できる。
【００２１】
そして、あとで、この紙パック内の農薬を使用する場合、その農薬の残量を確認する必要があるときは、剥離用シート７の端部もしくは摘み部７ａを摘んで剥離用シート７を引っ張り、それと一体に除去カバー部２を切れ目３に沿って切除し、透明な帯状の窓を外部に臨ませる。そして、目盛５を見て残量を確認する。
【００２２】
なお、図示した例において、剥離用シート７は、除去カバー部２と重なる中央部分でヒートシールし、その外側部分はヒートシールしていない。
しかし、図示しないが、剥離用シート７の全面をヒートシールしてもよい。その場合、剥離用シート７の中央部分は、ニス抜きのため強めに除去カバー部２に固着され、外側部分はハイグロスニスのために弱めに固着される。
【００２３】
また、上述した例では、除去カバー部２の表面全域に剥離用シート７を固着したが、図６（ａ）・（ｂ）・（ｃ）にそれぞれ示すように、除去カバー部２表面の上端部にだけ剥離用シート７を固着するようにしてもよい。
【００２４】
図６の例では、剥離用シート７として、たとえば前記したように〔外側〕Ｎｙ／ＰＥ〔内側〕の層構成にした透明な小片シートを用いてヒートシール７ｃする。そして、農薬残量を確認する必要があるときは、同様に摘み部７ａを摘んで剥離用シート７を引っ張り、それと一体に除去カバー部２全体を切れ目３に沿って切除する。
【００２５】
なお、除去カバー部２表面の下端部に剥離用シート７を固着して除去カバー部２を切除するようにしてもよい。上述した剥離用シート７は、必ずしも透明でなくてもよいのは勿論である。
【００２６】
ここで、前記の説明中で用いた記号について説明する。ＰＥはポリエチレン，Ａｌはアルミニウム箔，ＰＥＴはポリエチレンテレフタレート，Ｎｙはナイロン，ＯＰＰは延伸ポリプロピレンを表わす。
【００２７】
【発明の効果】
上述した本発明によれば、次のような効果が得られる。
【００２８】
請求項１によれば、紙板材に断続構造の切れ目を設け、この切れ目で囲まれた紙板材部に切除可能な窓形成用の除去カバー部を形成し、透明シートの表側に除去カバー部を重ねて防護した構成であるため、輸送の際などに、不用意に尖ったものなどが当たっても透明シートが破れて内容物がこぼれ出るのを防止することができる。
また、除去カバー部の表面全域又は除去カバー部の端部で、かつニス抜きされた部分に、剥離用シートを固着した構成としているので、内容物の残量を確認する必要があるとき、剥離用シートを引っ張るだけで、簡単に除去カバー部を切除することができる。そして、除去カバー部を切れ目に沿って切除して透明な窓を外部に臨ませれば、簡単に残量を視認することができる。
【００２９】
請求項２によれば、加えて、剥離用シートに、紙板材に固着しない摘み部を設けた構成とし、これにより、除去カバー部を切除するとき、この摘み部を摘んで剥離用シートを簡単に引っ張ることができる。
【図面の簡単な説明】
【図１】  本発明による残量確認用窓付紙パックの一例を示す斜視図である。
【図２】  その紙パックの窓部構造を示す部分横断面図である。
【図３】  除去カバー部の外周縁に設ける切れ目形状を示す構成説明図である。
【図４】  除去カバー部に剥離シートを固着した窓部構造を示す部分横断面図である。
【図５】  除去カバー部の表面全域に剥離シートを固着した窓部構造の構成説明図である。
【図６】  除去カバー部表面の上端部に剥離シートを固着した窓部構造の構成説明図である。
【符号の説明】
１    容器本体
２    除去カバー部
３    切れ目
４    透明シート
７    剥離用シート
７ａ    摘み部
【図１】
0003817999.tif 000002
【図２】
0003817999.tif 000003
【図３】
0003817999.tif 000004
【図４】
0003817999.tif 000005
【図５】
0003817999.tif 000006
【図６】
0003817999.tif 000007